(57)【要約】【課題】より効果的に画像の一部を強調することが可能なプロジェクタ等を提供すること。【解決手段】プロジェクタ１０が、ユーザーによる画像の一部分の強調指示を示す指示情報を入力する指示情報入力部１１０と、前記指示情報に基づき、前記強調指示の内容および前記一部分の位置を判定する判定部１３０と、前記内容および前記位置に基づき、前記一部分に対して前記内容に応じた強調を行うとともに、前記画像における前記一部分を含む領域を拡大したズーム画像を生成する画像生成部１４０と、前記ズーム画像を投写する投写部１６０とを含んで構成される。【選択図】図１
2007219217.tif 000002
【特許請求の範囲】
【請求項１】
ユーザーによる画像の一部分の強調指示を示す指示情報を入力する指示情報入力部と、
前記指示情報に基づき、前記強調指示の内容および前記一部分の位置を判定する判定部と、
前記内容および前記位置に基づき、前記一部分に対して前記内容に応じた強調を行うとともに、前記画像における前記一部分を含む領域を拡大したズーム画像を生成する画像生成部と、
前記ズーム画像を投写する投写部と、
を含むことを特徴とするプロジェクタ。
【請求項２】
請求項１に記載のプロジェクタにおいて、
前記画像生成部は、前記指示情報が強調用の直線または曲線の描画を示す情報である場合、前記直線または前記曲線の始点および終点に基づき、前記領域を決定することを特徴とするプロジェクタ。
【請求項３】
請求項１、２のいずれかに記載のプロジェクタにおいて、
前記指示情報入力部は、リモートコントローラから前記指示情報を入力し、
前記判定部は、前記指示情報に基づき、前記リモートコントローラにおけるポインタアイコン表示指示ボタンが一定時間以上押し続けられたかどうかを判定し、
前記画像生成部は、前記ポインタアイコン表示指示ボタンが一定時間以上押し続けられた場合、前記ポインタアイコンを含み、当該ポインタアイコンの周辺を拡大した前記ズーム画像を生成することを特徴とするプロジェクタ。
【請求項４】
請求項３に記載のプロジェクタにおいて、
前記判定部は、前記指示情報に基づき、前記ポインタアイコンが表示されている状態で、前記ポインタアイコンの移動指示が行われたかどうかを判定し、
前記画像生成部は、前記ポインタアイコンの移動指示が行われた場合、前記ポインタアイコンの移動に応じて前記領域を移動させて前記ズーム画像を生成することを特徴とするプロジェクタ。
【請求項５】
プロジェクタの有するコンピュータを、
ユーザーによる画像の一部分の強調指示を示す指示情報を入力する指示情報入力部と、
前記指示情報に基づき、前記強調指示の内容および前記一部分の位置を判定する判定部と、
前記内容および前記位置に基づき、前記一部分に対して前記内容に応じた強調を行うとともに、前記画像における前記一部分を含む領域を拡大したズーム画像を生成する画像生成部として機能させることを特徴とするプログラム。
【請求項６】
請求項５に記載のプログラムを記憶した、コンピュータ読み取り可能な情報記憶媒体。
【発明の詳細な説明】
【技術分野】
【０００１】
本発明は、投写した画像の一部を拡大して投写することが可能なプロジェクタ、プログラムおよび情報記憶媒体に関する。
【背景技術】
【０００２】
例えば、特許文献１では、コンピュータからズームポイントを含むズーム開始コマンドを受信し、ズームポイントを中心に画像を拡大するプロジェクタが記載されている。このように、表示装置はズーム機能を有し、ユーザーが指示したポイントを中心に画像を拡大して表示することが行われている。
【０００３】
また、セイコーエプソン株式会社のＥＭＰ−８３５０等のプロジェクタには、エフェクト機能が搭載されている。より具体的には、当該プロジェクタは、ユーザーによってリモコンのエフェクトボタン等が操作された場合、投写した画像の一部に線を引く等の強調表示を行う。
【特許文献１】特開２００５−３７２３号公報
【発明の開示】
【発明が解決しようとする課題】
【０００４】
しかし、一般的に、上述したズーム機能は、固定された倍率で画像を拡大する機能であり、表示装置が、ズーム機能とエフェクト機能を単純に組み合わせた場合、画像の拡大によって本来強調すべき部分が表示領域から外れてしまう可能性がある。
【０００５】
本発明の目的は、より効果的に画像の一部を強調することが可能なプロジェクタ、プログラムおよび情報記憶媒体を提供することにある。
【課題を解決するための手段】
【０００６】
上記課題を解決するため、本発明に係るプロジェクタは、
ユーザーによる画像の一部分の強調指示を示す指示情報を入力する指示情報入力部と、
前記指示情報に基づき、前記強調指示の内容および前記一部分の位置を判定する判定部と、
前記内容および前記位置に基づき、前記一部分に対して前記内容に応じた強調を行うとともに、前記画像における前記一部分を含む領域を拡大したズーム画像を生成する画像生成部と、
前記ズーム画像を投写する投写部と、
を含むことを特徴とする。
【０００７】
また、本発明に係るプログラムは、
プロジェクタの有するコンピュータを、
ユーザーによる画像の一部分の強調指示を示す指示情報を入力する指示情報入力部と、
前記指示情報に基づき、前記強調指示の内容および前記一部分の位置を判定する判定部と、
前記内容および前記位置に基づき、前記一部分に対して前記内容に応じた強調を行うとともに、前記画像における前記一部分を含む領域を拡大したズーム画像を生成する画像生成部として機能させることを特徴とする。
【０００８】
また、本発明に係る情報記憶媒体は、
コンピュータにより読み取り可能な情報記憶媒体であって、
上記プログラムを記憶したことを特徴とする。
【０００９】
本発明によれば、プロジェクタ等は、強調指示に連動したズーム画像を生成することができるため、より効果的に画像の一部を強調することができる。
【００１０】
また、前記画像生成部は、前記指示情報が強調用の直線または曲線の描画を示す情報である場合、前記直線または前記曲線の始点および終点に基づき、前記領域を決定してもよい。
【００１１】
これによれば、プロジェクタ等は、強調用の直線または曲線の描画に連動したズーム画像を生成することができるため、より効果的に画像の一部を強調することができる。
【００１２】
また、前記指示情報入力部は、リモートコントローラから前記指示情報を入力し、
前記判定部は、前記指示情報に基づき、前記リモートコントローラにおけるポインタアイコン表示指示ボタンが一定時間以上押し続けられたかどうかを判定し、
前記画像生成部は、前記ポインタアイコン表示指示ボタンが一定時間以上押し続けられた場合、前記ポインタアイコンを含み、当該ポインタアイコンの周辺を拡大した前記ズーム画像を生成してもよい。
【００１３】
これによれば、プロジェクタ等は、強調用のポインタアイコン表示に連動したズーム画像を生成することができるため、より効果的に画像の一部を強調することができる。
【００１４】
また、前記判定部は、前記指示情報に基づき、前記ポインタアイコンが表示されている状態で、前記ポインタアイコンの移動指示が行われたかどうかを判定し、
前記画像生成部は、前記ポインタアイコンの移動指示が行われた場合、前記ポインタアイコンの移動に応じて前記領域を移動させて前記ズーム画像を生成してもよい。
【００１５】
これによれば、プロジェクタ等は、ポインタアイコンの移動に応じてズーム対象の領域を移動させたズーム画像を生成することができるため、より効果的に画像の一部を強調することができる。
【発明を実施するための最良の形態】
【００１６】
以下、本発明をプロジェクタに適用した場合を例に採り、図面を参照しつつ説明する。なお、以下に示す実施例は、特許請求の範囲に記載された発明の内容を何ら限定するものではない。また、以下の実施例に示す構成の全てが、特許請求の範囲に記載された発明の解決手段として必須であるとは限らない。
【００１７】
図１は、本実施例におけるプロジェクタ１０の機能ブロック図である。
【００１８】
プロジェクタ１０は、ユーザーによる画像の一部分の強調指示を示す指示情報をリモコン（リモートコントローラ）３０から入力する指示情報入力部１１０と、タイマー部１２０と、指示情報に基づき、強調指示の内容および上記一部分の位置を判定する判定部１３０と、指示情報の内容および位置に基づき、上記一部分に対して上記内容に応じた強調を行うとともに、画像における上記一部分を含む領域を拡大したズーム画像を生成する画像生成部１４０と、種々のデータを記憶する記憶部１５０と、ズーム画像等を投写する投写部１６０とを含んで構成されている。
【００１９】
なお、これらの各部を実装するためのハードウェアとしては以下のものを採用可能である。例えば、指示情報入力部１１０としては赤外ポート等、タイマー部１２０としてはシステムタイマー等、判定部１３０としてはＣＰＵ等、画像生成部１４０としては画像処理回路等、記憶部１５０としてはＨＤＤ、ＵＳＢメモリ等、投写部１６０としては液晶パネル、ドライバ等を採用可能である。
【００２０】
また、プロジェクタ１０は、情報記憶媒体２００からプログラムを読み取ることにより、これらの各部の機能を実装してもよい。
【００２１】
なお、情報記憶媒体２００としては、例えば、ＣＤ−ＲＯＭ、ＤＶＤ−ＲＯＭ、ＩＣカード、ＲＯＭ、ＲＡＭ、メモリカード、ＨＤＤ等のレーザーや磁気等を用いた記憶媒体を適用できる。また、情報記憶媒体２００からのプログラムの読み取り方式は、接触式でも非接触式でもよい。また、プロジェクタ１０は、ネットワークを介してプログラムをダウンロードすることにより、これらの各部の機能を実装してもよい。
【００２２】
なお、リモコン３０には、画像の一部を強調する指示を行うためのエフェクトボタン、強調のための直線等を描画する指示を行うためのエンターボタン、強調表示を終了するためのＥＳＣ（ESCAPE）ボタン等が設けられている。
【００２３】
次に、これらの各部を用いた強調処理の流れについて説明する。
【００２４】
図２は、本実施例における強調処理の流れを示すフローチャートである。
【００２５】
指示情報入力部１１０は、リモコン３０から指示情報を入力する。判定部１３０は、当該指示情報に基づき、リモコン３０のエフェクトボタンが押されたかどうかを判定する（ステップＳ１）。なお、指示情報としては、例えば、押されたボタンを識別するための情報、移動操作ボタンの移動指示方向を示す情報等が該当する。
【００２６】
指示情報が、エフェクトボタンが押されたことを示す情報である場合、画像生成部１４０は、ポインタアイコンを含む画像を生成し、投写部１６０は、当該画像を投写する（ステップＳ２）。なお、ポインタアイコンや後述する強調用の直線、曲線を描画するための強調用画像データは記憶部１５０に記憶されている。
【００２７】
一方、指示情報が、エフェクトボタンが押されたことを示す情報ではない場合、画像生成部１４０は、ポインタアイコンを含まない通常の画像を生成し、投写部１６０は、当該画像を投写する（ステップＳ３）。
【００２８】
図３は、ポインタアイコン３１０を含む画像３００を示す図である。
【００２９】
図３に示す例では、画像３００は、左上にグラフを示す領域と、右下に文字列を示す領域を含む。また、ポインタアイコン３１０は、グラフを示す領域を指示している。従来の手法では、図３に示すように、単にポインタアイコン３１０が元の画像に重ねられて表示されるだけである。
【００３０】
本実施例の判定部１３０は、エフェクトボタンが押されたことを示す指示情報と、タイマー部１２０のタイマー値に基づき、エフェクトボタンが一定時間（例えば、１．５秒等）押し続けられたかどうかを判定する（ステップＳ４）。
【００３１】
エフェクトボタンが一定時間押し続けられた場合、画像生成部１４０は、ポインタアイコン３１０を含むズーム画像を生成し、投写部１６０は、ズーム画像を投写する（ステップＳ５）。
【００３２】
図４は、本実施例のポインタアイコン３１０を含むズーム画像４００を示す図である。
【００３３】
図４に示すように、ズーム画像４００は、画像３００のうち、ポインタアイコン３１０を中心にした所定範囲（例えば、画像３００の４分の１の範囲等）を拡大した画像である。
【００３４】
そして、判定部１３０は、指示情報に基づき、リモコン３０のＥＳＣボタンが押されたかどうかを判定する（ステップＳ６）。
【００３５】
当該指示情報が、ＥＳＣボタンが押されたことを示す情報ではない場合、判定部１３０は、当該指示情報が、リモコン３０のエンターボタンが押されたことを示す情報であるかどうかを判定する（ステップＳ７）。
【００３６】
当該指示情報が、エンターボタンが押されたことを示す情報ではない場合、画像生成部１４０は、ポインタアイコン３１０の位置（より具体的には、例えば、リモコン３０の移動操作ボタンによる指示情報に基づく位置等）に基づき、ポインタアイコン３１０を含む画像３００またはポインタアイコン３１０を含むズーム画像４００を生成し、投写部１６０は、画像３００またはズーム画像４００を投写する（ステップＳ８）。
【００３７】
なお、最初にエフェクトボタンが押された場合、画像３００の中心にポインタアイコン３１０が表示され、ユーザーによるリモコン３０の移動操作ボタンの操作によってポインタアイコン３１０の表示位置が移動する。
【００３８】
また、ステップＳ７の判定における指示情報が、エンターボタンが押されたことを示す情報である場合、判定部１３０は、当該判定時点におけるポインタアイコン３１０の位置を示す情報を開始位置情報として記憶部１５０に記憶する。
【００３９】
そして、判定部１３０は、指示情報とタイマー部１２０のタイマー値に基づき、エンターボタンが一定時間押し続けられたかどうかを判定する（ステップＳ９）。
【００４０】
エンターボタンが一定時間押し続けられなかった場合、画像生成部１４０は、ユーザーによるリモコン３０の移動操作ボタンの操作に基づき、強調用の直線を含む画像を生成し、投写部１６０は、当該画像を投写する（ステップＳ１１）。
【００４１】
図５は、直線３２０を含む画像３０１を示す図である。
【００４２】
なお、図５では、画像３０１の右下の文字列を示す領域の中心付近で横方向に直線が描画された状態を示している。すなわち、ユーザーが最初にエンターボタンを押した時点のポインタアイコン３１０の位置が直線の始点になり、移動操作ボタンの操作に応じて移動した非可視のポインタアイコン３１０の位置が直線の終点になる。
【００４３】
また、エンターボタンが一定時間押し続けられた場合、画像生成部１４０は、ユーザーによるリモコン３０の移動操作ボタンの操作に基づき、強調用の曲線を含む画像を生成し、投写部１６０は、当該画像を投写する（ステップＳ１０）。
【００４４】
図７は、曲線３３０を含む画像３０２を示す図である。
【００４５】
なお、図７では、画像３０２の右下の文字列を示す領域の中心付近で丸形の曲線が描画された状態を示している。すなわち、ユーザーが最初にエンターボタンを押した時点のポインタアイコン３１０の位置が曲線の始点になり、移動操作ボタンの操作に応じて移動した非可視のポインタアイコン３１０の位置が曲線の終点になる。
【００４６】
そして、判定部１３０は、指示情報に基づき、リモコン３０のエンターボタンが再び押されたかどうかを判定する（ステップＳ１２）。なお、エンターボタンが再び押されるまでは上記の直線、曲線の描画は完了せず、エンターボタンが再び押された時点で上記の終点が確定する。
【００４７】
リモコン３０のエンターボタンが押されない間は、投写部１６０は、画像３０１または画像３０２を投写する（ステップＳ１４）。
【００４８】
一方、リモコン３０のエンターボタンが押され、かつ、ステップＳ１２の時点で直線が描画されている場合、投写部１６０は、直線３２０を含むズーム画像を投写する（ステップＳ１３）。
【００４９】
図６は、本実施例の直線３２０を含むズーム画像４０１を示す図である。
【００５０】
図６に示すように、ズーム画像４０１は、画像３０１のうち、直線３２０の描画された部分を中心にした所定範囲（例えば、画像３０１の４分の１の範囲、直線３２０の秒がされた範囲等）を拡大した画像である。
【００５１】
また、リモコン３０のエンターボタンが押され、かつ、ステップＳ１２の時点で曲線が描画されている場合、投写部１６０は、曲線３３０を含むズーム画像を投写する（ステップＳ１３）。
【００５２】
図８は、本実施例の曲線３３０を含むズーム画像４０２を示す図である。
【００５３】
図８に示すように、ズーム画像４０２は、画像３０２のうち、曲線３３０の描画された部分を中心にした所定範囲（例えば、画像３０２の４分の１の範囲、曲線３３０で囲まれた範囲等）を拡大した画像である。
【００５４】
なお、画像生成部１４０は、直線または曲線の始点および終点を示すデータに基づき、ズーム画像４０１、４０２の上記所定範囲および拡大の倍率を決定することができる。
【００５５】
また、ステップＳ６の判定において、指示情報がＥＳＣボタンが押されたことを示すものである場合、画像生成部１４０は、強調およびズームを終了し、通常の画像を生成し、投写部１６０は、通常の画像を投写する（ステップＳ１５）。すなわち、ＥＳＣボタンが押された場合、投写中の画像に含まれるすべてのポインタアイコン３１０、直線３２０、曲線３３０が消去され、ズームも終了する。
【００５６】
以上のように、本実施例によれば、プロジェクタ１０は、強調指示に連動したズーム画像４００〜４０２を生成することができるため、より効果的に画像３００〜３０２の一部を強調することができる。
【００５７】
また、本実施例によれば、プロジェクタ１０は、強調用の直線３２０または曲線３３０の描画に連動したズーム画像４０１、４０２を生成することができるため、より効果的に画像３０１、３０２の一部を強調することができる。より具体的には、例えば、プロジェクタ１０は、直線３２０、曲線３３０の始点から終点までの領域を拡大して投写したり、直線３２０、曲線３３０で囲まれた領域を拡大して投写したりすることができる。
【００５８】
また、本実施例によれば、プロジェクタ１０は、強調用のポインタアイコン３１０の表示に連動したズーム画像４００を生成することができるため、より効果的に画像３００の一部を強調することができる。
【００５９】
また、本実施例によれば、プロジェクタ１０は、ポインタアイコン３１０の移動に応じてズーム対象の領域を移動させたズーム画像４００を生成することができるため、より効果的に画像３００の一部を強調することができる。
【００６０】
なお、本発明の適用は上述した実施例に限定されず、種々の変形が可能である。
【００６１】
例えば、図３〜図８に示す例では、説明をわかりやすくすため、矩形の領域単位で拡大されたズーム画像４００〜４０２を示しているが、ズーム画像は、このような矩形の領域単位でなくてもよい。
【００６２】
また、本発明を適用可能なプロジェクタは、前面投写型のプロジェクタに限定されず、背面投写型のプロジェクタであってもよい。また、プロジェクタは、液晶プロジェクタには限定されず、ＣＲＴプロジェクタ、ＤＬＰプロジェクタ、ＬＥＤプロジェクタ等であってもよい。
【００６３】
また、ボタンの操作内容に応じた強調およびズームの手法は上述した実施例に限定されず、実際に適用される操作に応じた強調およびズームが可能である。
【図面の簡単な説明】
【００６４】
【図１】本実施例におけるプロジェクタの機能ブロック図である。
【図２】本実施例における強調処理の流れを示すフローチャートである。
【図３】ポインタアイコンを含む画像を示す図である。
【図４】本実施例のポインタアイコンを含むズーム画像を示す図である。
【図５】直線を含む画像を示す図である。
【図６】本実施例の直線を含むズーム画像を示す図である。
【図７】曲線を含む画像を示す図である。
【図８】本実施例の曲線を含むズーム画像を示す図である。
【符号の説明】
【００６５】
１０  プロジェクタ、３０  リモコン、１１０  指示情報入力部、１２０  タイマー部、１３０  判定部、１４０  画像生成部、１５０  記憶部、１６０  投写部、２００  情報記憶媒体
【図１】
2007219217.tif 000003
【図２】
2007219217.tif 000004
【図３】
2007219217.tif 000005
【図４】
2007219217.tif 000006
【図５】
2007219217.tif 000007
【図６】
2007219217.tif 000008
【図７】
2007219217.tif 000009
【図８】
2007219217.tif 000010